(57)【特許請求の範囲】
【請求項１】
盛土材料による盛土部分の上面にコンクリート床版を構築する際に、構築されるコンクリート床版の側縁部を支持するように盛土材料上に配置されるコンクリート床版構築用ブロックであって、
直方体状に構成された本体部の一方の側部上に上方に盛り上がった堰堤部が設けられており、本体部および堰堤部が発泡樹脂によって一体的に構成されていることを特徴とするコンクリート床版構築用ブロック。
【請求項２】
前記堰堤部の上面が平坦面になっており、その上側平坦面が、テーパー面を介して、本体部の平坦な上面に連続している請求項１に記載のコンクリート床版構築用ブロック。
【請求項３】
請求項１に記載の複数のコンクリート床版構築用ブロックが、盛土材料による盛土部分の側縁部に沿うように、それぞれの堰堤部を外側として連続的に配置する工程と、
各コンクリート床版構築用ブロックの本体部上を含む盛土部分上にコンクリートを打設する工程と、
を包含することを特徴とするコンクリート床版の構築方法。
【発明の詳細な説明】
【０００１】
【発明の属する技術分野】
本発明は、発泡ポリスチレンブロック等の軽量発泡樹脂ブロックを盛土材料とした盛土部分にコンクリート床版を構築する際に、コンクリート床版の側縁部を支持するために使用されるコンクリート床版構築用ブロックおよびそのコンクリート床版構築用ブロックを使用したコンクリート床版の構築方法に関する。
【０００２】
【従来の技術】
近時、各種土木工事における盛土材料として、発泡ポリスチレン等の軽量の発泡樹脂ブロックが使用されている。この発泡樹脂ブロックは、直方体状に成形されており、盛土材料、裏込め材料として積み重ねられて、盛土部分、裏込め部分を形成するようになっている。
【０００３】
積み重ねられた発泡樹脂ブロックによって盛土部分が形成されると、発泡樹脂ブロック上には、上載荷重を均等に分散させるとともに、各発泡樹脂ブロックを一体化するために、コンクリート床版が構築される。また、必要に応じて、所定の高さにまで発泡樹脂ブロックが積み重ねられると、同様の目的で、積み重ねられた発泡樹脂ブロック上にコンクリート床版を設けて、そのコンクリート床版上に、さらに、発泡樹脂ブロックが積み重ねられる。
【０００４】
コンクリート床版を構築する場合には、所定の高さに発泡樹脂ブロックが積み重ねられて上面が水平な状態になると、積み重ねられた発泡樹脂ブロック上に打設されるコンクリートが流下しないように、積み重ねられた発泡樹脂ブロックの側縁部に沿って、型枠が設置される。そして、積み重ねられた発泡樹脂ブロックの上面に沿って鉄筋等が配置された後に、発泡樹脂ブロック上にコンクリートが打設される。打設されたコンクリートが硬化すると、設置された型枠が取り外さて、コンクリート床版が構築される。
【０００５】
【発明が解決しようとする課題】
このように、積み重ねられた発泡樹脂ブロック上にコンクリート床版を構築する場合には、積み重ねられた発泡樹脂ブロックの側縁部に沿って、型枠を設置した後にコンクリートを打設しなければならず、また、コンクリートが硬化すると、設置された型枠を取り外す必要もあり、作業効率が悪いという問題がある。
【０００６】
本発明は、このような問題を解決するものであり、その目的は、盛土材料による盛土部分の上面にコンクリート床版を容易に構築することができるコンクリート床版構築用ブロック、および、そのコンクリート床版構築用ブロックを使用したコンクリート床版の構築方法を提供することにある。
【０００７】
【課題を解決するための手段】
請求項１に記載本発明のコンクリート床版構築用ブロックは、盛土材料による盛土部分の上面にコンクリート床版を構築する際に、構築されるコンクリート床版の側縁部を支持するように盛土材料上に配置されるコンクリート床版構築用ブロックであって、直方体状に構成された本体部の一方の側部上に上方に盛り上がった堰堤部が設けられており、本体部および堰堤部が発泡樹脂によって一体的に構成されていることを特徴とする。
【０００８】
請求項２に記載の本発明のコンクリート床版構築用ブロックは、前記堰堤部の上面が平坦面になっており、その上側平坦面が、テーパー面を介して、本体部の平坦な上面に連続している。
【０００９】
請求項３に記載の本発明のコンクリート床版の構築方法は、請求項１に記載の複数のコンクリート床版構築用ブロックが、盛土材料による盛土部分の側縁部に沿うように、それぞれの堰堤部を外側として連続的に配置する工程と、各コンクリート床版構築用ブロックの本体部上を含む盛土部分上にコンクリートを打設する工程と、を包含することを特徴とする。
【００１０】
【発明の実施の形態】
以下、本発明の実施の形態を、図面に基づいて詳細に説明する。
【００１１】
図１は、本発明のコンクリート床版構築用ブロックの実施の形態の一例を示す斜視図である。このコンクリート床版構築用ブロックは、例えば、図２に示すように、山の斜面における切土された部分に、直方体に形成された盛土用発泡樹脂ブロック２０を盛土材料として積み重ねて盛土部分を形成した際に、その積み重ねられた盛土用発泡樹脂ブロック２０上にコンクリート床版３０を構築する際に、コンクリート床版３０の側縁部を支持するために使用される。
【００１２】
コンクリート床版構築用ブロック１０は、直方体状に構成された本体部１１と、本体部１１の一方の側部上に設けられた堰堤部１２とを有しており、本体部１１および堰堤部１２が、軽量な発泡樹脂によって一体的に形成されている。
【００１３】
本体部１１は、上面１１ａおよび下面１１ｂがそれぞれ水平な平坦面になった直方体に構成されている。そして、本体部１１における１つの側面１１ｃに沿った側部には、その側面１１ｃに沿って上方に盛り上がった堰堤部１２が一体的に設けられている。堰堤部１２の上面１２ａは、全体にわたって水平な平坦面になっており、この上面１２ａが、本体部１１の上面１１ａに、側面１１ｃから離れるにつれて順次下方に位置するように傾斜したテーパー面１２ｂを介して連続している。
【００１４】
コンクリート床版構築用ブロック１０は、例えば、ポリスチレンを型内発泡成形法によって、本体部１１の一方の側部上に堰堤部１２が設けられた所定の形状に形成される。型内発泡成形法は、発泡剤を含有した樹脂粒子を予備発泡し、得られた予備発泡粒子を成形型内に充填して型内で発泡成形する方法である。また、ポリスチレン発泡樹脂に限らず、ポリプロピレン発泡樹脂やスチレン改質ポリオレフィン発泡樹脂等を使用することもできる。さらに、型内発泡法に限らず、直方体に発泡成形された後に切削加工してもよい。
【００１５】
コンクリート床版構築用ブロック１０は、例えば、本体部１１の下面１１ｂから上面１１ａまでの高さが４００ｍｍ、本体部１１の上面１１ａから堰堤部１２の上面１２ａまでの高さが１００ｍｍとされ、従って、本体部１１の下面１１ｂから堰堤部１２の上面１２ａまでの高さが５００ｍｍとされている。
【００１６】
このような構成のコンクリート床版構築用ブロック１０は、盛土材料上にコンクリート床版３０を構築する際に、そのコンクリート床版３０の側縁部を支持するために使用される。コンクリート床版３０は構築する場合には、図２に示すように、切土された部分に、盛土材料としての直方体に構成された盛土用発泡樹脂ブロック２０が、順次、敷き詰められて、所定の高さの水平面を形成するように複数段に積み重ねられる。その後、積み重ねられた盛土用発泡樹脂ブロック２０にて形成される盛土部分の側縁部上に、本発明のコンクリート床版構築用ブロック１０が、その側縁部に沿って連続するように配置される。この場合、連続して配置される各コンクリート床版構築用ブロック１０は、それぞれの堰堤部１２を外側として、本体部１１の側面１１ｃが垂直になるように、連続される。
【００１７】
このようにして、積み重ねられた盛土用発泡樹脂ブロック２０の側縁部に沿って連続的にコンクリート床版構築用ブロック１０が配置されると、すでに積み重ねられた盛土用発泡樹脂ブロック２０の上面におけるコンクリート床版構築用ブロック１０を除いた部分を覆うように、直方体に構成された盛土用発泡樹脂ブロック２１が水平に敷き詰められる。この場合に敷き詰められる盛土用発泡樹脂ブロック２１は、コンクリート床版構築用ブロック１０の本体部１１の下面１１ｂから上面１１ａまでの高さに等しい高さを有する直方体に構成されており、従って、敷き詰められる盛土用発泡樹脂ブロック２１の上面は、コンクリート床版構築用ブロック１０における本体部１１の上面１１ａに等しい高さの水平面を形成する。
【００１８】
なお、構築されるコンクリート床版３０の一方の側縁部が、山の斜面等に連続している場合には、その側縁部に沿ってのみ、コンクリート床版構築用ブロック１０を連続的に配置すればよいが、コンクリート床版３０の両方の側縁部が山の斜面等に接していない場合には、両側縁部に沿って、コンクリート床版構築用ブロック１０がそれぞれ連続的に配置される。
【００１９】
このようにして、盛土擁発泡樹脂ブロック２０による盛土部分の上面における少なくとも一方の側縁部に沿ってコンクリート床版構築用ブロック１０が連続的に配置されて、盛土部分の上面に盛土用発泡樹脂ブロック２１が水平に敷き詰められると、敷き詰められた盛土用発泡樹脂ブロック２１の上面、およびコンクリート床版構築用ブロック１０における本体部１１の上面１１ａに沿って、鉄筋３１が水平に配置される。
【００２０】
このとき、構築されるコンクリート床版３０の側縁部に沿って地覆コンクリート３２を設ける場合には、地覆コンクリート３２内に埋設されるように、コンクリート床版構築擁ブロック１０の本体部１１上に、鉄筋３３が、堰堤部１２の上面１２ａよりも上方に突出するように垂直に配置される。
【００２１】
鉄筋３１が配置されると、盛土用発泡樹脂ブロック２１の上面、およびコンクリート床版構築用ブロック１０における本体部１１の上面１１ａ上にコンクリートが打設される。このとき、盛土用発泡樹脂ブロック２１の上面、およびコンクリート床版構築用ブロック１０における本体部１１の上面１１ａ上に打設されるコンクリートは、コンクリート床版構築用ブロック１０の堰堤部１２にて堰止められるために、打設されるコンクリートが堰堤部１２を越えて側方に流下するおそれがない。
【００２２】
しかも、打設されるコンクリートは、コンクリート床版構築用ブロック１０における堰堤部１２のテーパー面１２ｂに沿って流動するために、堰堤部１２には、打設されるコンクリートから加わる応力がテーパー面１２ｂに沿って分散される。従って、堰堤部１２には、打設されるコンクリートによって大きな応力が加わるおそれがなく、堰堤部１２は、打設されるコンクリートによって破損するおそれがない。
【００２３】
その後、打設されたコンクリートが硬化されることにより、コンクリート床版３０が構築される。そして、必要に応じて、構築されたコンクリート床版３０の側縁部に沿って、地覆コンクリート３２が構築される。
【００２４】
なお、本発明のコンクリート床版構築用ブロック１０は、積み重ねられた盛土用発泡樹脂ブロック２０の上面（天端）にコンクリート床版を構築する場合のみに限らず、盛土用発泡樹脂ブロック２０の設置段数が多い場合に中間部分に形成されるコンクリート床版を構築する際にも適用することができる。
【００２５】
【発明の効果】
本発明のコンクリート床版構築用ブロックは、このように、本体部上に設けられた堰堤部によって、コンクリート床版を構築するために本体部上に打設されるコンクリートが盛土部分の側方に流下するおそれがない。従って、打設されるコンクリートの流下を防止するための型枠を着脱させる作業が不要になり、コンクリート床版の構築作業が著しく簡略化される。
【００２６】
本発明のコンクリート床版の構築方法は、このようなコンクリート床版構築用ブロックを使用しているために、コンクリート床版を作業効率よく構築することができる。
【図面の簡単な説明】
【図１】本発明のコンクリート床版構築用ブロックの斜視図である。
【図２】そのコンクリート床版構築用ブロックを使用して構築されたコンクリート床版の断面図である。
【符号の説明】
１０  コンクリート床版構築用ブロック
１１  本体部
１１ａ  上面
１１ｂ  下面
１１ｃ  側面
１２  堰堤部
１２ａ  上面
１２ｂ  テーパー面
２０  盛土用発泡樹脂ブロック
２１  盛土用発泡樹脂ブロック
３０  コンクリート床版
３１  鉄筋
３２  地覆コンクリート
３３  鉄筋
【図１】
0003681271.tif 000002
【図２】
0003681271.tif 000003